(57)【要約】【課題】玄関の床面から浮かせて壁面に取付ける収納家具の下部に用いる台輪およびこれを用いた収納家具の取付構造であって、施工性に優れ、据付精度を高めることができると共に新たな収納スペースを確保することができる台輪およびこれを用いた収納家具の取付構造を提供することである。【解決手段】平面視矩形状上板の対向する両端に矩形状の同一寸法からなる左右側板を対向させて上面が面一となるように断面略コの字状に連結した玄関の床面から浮かせて壁面に取付ける収納家具の下部に用いる台輪において、前記上板の前記左右側板と直交する一方の端部が前記左右側板の同じ側の端部よりも前記上板の前記左右側板と直交する他方の端部側に位置するように、かつ、前記上板の前記左右側板と直交する他方の端部が前記左右側板の同じ側の端部と面一となるように構成されていることを特徴とする台輪。【選択図】　　　　図１
2004105510.tif 000002
【特許請求の範囲】
【請求項１】
平面視矩形状上板の対向する両端に矩形状の同一寸法からなる左右側板を対向させて上面が面一となるように断面略コの字状に連結した玄関の床面から浮かせて壁面に取付ける収納家具の下部に用いる台輪において、前記上板の前記左右側板と直交する一方の端部が前記左右側板の同じ側の端部よりも前記上板の前記左右側板と直交する他方の端部側に位置するように、かつ、前記上板の前記左右側板と直交する他方の端部が前記左右側板の同じ側の端部と面一となるように構成されていることを特徴とする台輪。
【請求項２】
前記上板が前記上板の前記左右側板と直交する一方の端部に一段高い段部を備えた構成からなることを特徴とする請求項１記載の台輪。
【請求項３】
前記上板が前記上板の前記左右側板と直交する他方の端部にその一部ないし全部が切り欠かれた切欠部を備えた構成からなることを特徴とする請求項１、２のいずれかに記載の台輪。
【請求項４】
前記上板の前記左右側板と直交する一方の端部側の前記左右側板間に幕板を設けたことを特徴とする請求項１〜３のいずれかに記載の台輪。
【請求項５】
前記上板の前記左右側板と直交する一方の端部側に幕板を兼ねる前側壁を有する引出を前記左右側板と平行な方向に出し入れ自在に設けたことを特徴とする請求項１〜３のいずれかに記載の台輪。
【請求項６】
玄関に床面から浮かせて壁面に取付ける収納家具の取付構造であって、収納家具は請求項１〜５のいずれかに記載の台輪と金属製Ｌ字型ステーと家具本体とで構成され、複数本の金属製Ｌ字型ステーを間隔を開けて壁面に取付け、前記金属製Ｌ字型ステー上に前記台輪を前記台輪の前記上板の前記左右側板と直交する一方の端部が壁面と対向する側に位置するように載置し、前記台輪上に家具本体を載置してなることを特徴とする収納家具の取付構造。
【請求項７】
前記台輪の前記上板の下面に照明器具を取付けたことを特徴とする請求項６記載の収納家具の取付構造。
【発明の詳細な説明】
【０００１】
【発明の属する技術分野】
本発明は、玄関の床面から浮かせて壁面に取付ける収納家具の下部に用いる台輪およびこれを用いた収納家具の取付構造に関し、さらに詳しくは、家具本体の取付け精度を高めて外観を良好なものとすることができると共に家具本体の取付けを容易なものとすることができる台輪およびこれを用いた収納家具の取付構造に関するものである。
【０００２】
【従来の技術】
従来の収納家具は、開閉時に床面と擦れるのを防止するために、収納扉の下端を床面から浮かせて設置され、これに合わせて収納家具の地板も床面から浮かせて取り付けられる。このために収納家具の地板と床面との間に空間が生じることになり、意匠上の観点から収納扉前面の地板と床面との間に幕板が一般的には設けられる。しかしながら、この幕板により収納家具の地板と床面との間の空間がデッドスペースとなるために、このデッドスペースの有効利用を図るために幕板を着脱可能にしたものがある（例えば、特許文献１参照）。
【０００３】
しかしながら、特許文献１の収納家具は、デッドスペースの有効利用は図れるものの、このスペースを掃除する際や収納物を出し入れする際には幕板を着脱しなければならず、この着脱は結構煩雑であるといった問題があった。
【０００４】
また、他の従来の収納家具としては、収納家具を玄関の床面から浮かせて壁面に取付け、収納家具と床面との間の空間を有効に利用可能とすると共に、床面の掃除を行いやすくしたもの、あるいは、収納家具の下部内方に照明器具を取付けて足下を間接的に照明可能としたものがある（たとえば、特許文献２参照）。
【０００５】
しかしながら、特許文献２の収納家具は、家具本体と台輪とから構成され、家具本体を壁面に取付け、家具本体の下方に台輪を配し、家具本体の地板と台輪とを固定具で固定した構造からなるものであり、家具本体を壁面へ取付ける際には家具本体を人手で支えなければならないために施工性が悪いといった問題や、家具本体の水平精度等の据付精度が悪いといった問題があった。
【０００６】
【特許文献１】
特開２００１−２３８７４５号公報
【特許文献２】
特開２００１−３４６６４０号公報
【０００７】
【発明が解決しようとする課題】
そこで本発明は、玄関の床面から浮かせて壁面に取付ける収納家具の下部に用いる台輪およびこれを用いた収納家具の取付構造であって、施工性に優れ、据付精度を高めることができると共に新たな収納スペースを確保することができる台輪およびこれを用いた収納家具の取付構造を提供することである。
【０００８】
【課題を解決するための手段】
本発明者は、上記課題を達成するために、請求項１記載の本発明は、平面視矩形状上板の対向する両端に矩形状の同一寸法からなる左右側板を対向させて上面が面一となるように断面略コの字状に連結した玄関等の床面から浮かせて壁面に取付ける収納家具の下部に用いる台輪において、前記上板の前記左右側板と直交する一方の端部が前記左右側板の同じ側の端部よりも前記上板の前記左右側板と直交する他方の端部側に位置するように、かつ、前記上板の前記左右側板と直交する他方の端部が前記左右側板の同じ側の端部と面一となるように構成されていることを特徴とするものである。このように構成することにより、後述する家具本体を台輪の上面に安定した状態で容易に載置することができる。
【０００９】
また、請求項２記載の本発明は、請求項１記載の台輪において、前記上板が前記上板の前記左右側板と直交する一方の端部に一段高い段部を備えた構成からなることを特徴とするものである。このように構成することにより、上板の相対的に低い段部と左右側板とで形成される空間を、たとえば、後述する照明器具に電気を供給する電気配線用スペースとすることができる。
【００１０】
また、請求項３記載の本発明は、請求項１、２のいずれかに記載の台輪において、前記上板が前記上板の前記左右側板と直交する他方の端部にその一部ないし全部が切り欠かれた切欠部を備えた構成からなることを特徴とするものである。このように構成することにより、後述する金属製Ｌ字型ステーを切欠部に収納することができるために、台輪を壁面に対して当接した状態で設置することができ、それだけ玄関の空間を大きく採ることができる。
【００１１】
また、請求項４記載の本発明は、請求項１〜３のいずれかに記載の台輪において、前記上板の前記左右側板と直交する一方の端部側の前記左右側板間に幕板を設けたことを特徴とするものである。このように構成することにより、後述する収納家具の扉を開いたときに、台輪を見栄えのよいものとすることができる。
【００１２】
また、請求項５記載の本発明は、請求項１〜３のいずれかに記載の台輪において、前記上板の前記左右側板と直交する一方の端部側に幕板を兼ねる前側壁を有する引出を前記左右側板と平行な方向に出し入れ自在に設けたことを特徴とするものである。このように構成することにより、台輪の下部に新たな収納スペースを確保することができると共に、引出の前側壁を幕板を兼ねる構成としたことにより、収納家具の扉を開いたときに、台輪を見栄えの良いものとすることができる。
【００１３】
また、請求項６記載の本発明は、玄関に床面から浮かせて壁面に取付ける収納家具の取付構造であって、収納家具は請求項１〜５のいずれかに記載の台輪と金属製Ｌ字型ステーと家具本体とで構成され、複数本の金属製Ｌ字型ステーを間隔を開けて壁面に取付け、前記金属製Ｌ字型ステー上に前記台輪を前記台輪の前記上板の前記左右側板と直交する一方の端部が壁面と対向する側に位置するように載置し、前記台輪上に家具本体を載置してなることを特徴とするものである。このように構成することにより、複数本の金属製Ｌ字型ステーを水平が出るように水準器を用いて壁面に取付け、この金属製Ｌ字型ステー上に台輪を載置すれば、台輪は必然的に水平精度が出た状態で据付けることができ、さらに台輪上に家具本体を載置すれば、家具本体も必然的に水平精度が出た状態で据付けられるために、施工性や据付精度において優れる収納家具とすることができる。また、上記した引出や幕板を備えた台輪を用いることにより、台輪の下部に新たな収納スペースを確保することができると共に、収納家具の扉を開いたときに、見栄えのよい収納家具とすることができる。
【００１４】
また、請求項７記載の本発明は、請求項６記載の収納家具の取付構造において、前記台輪の前記上板の下面に照明器具を取付けたことを特徴とするものである。このように構成することにより、台輪単体のときに照明器具を取付けることができるために照明器具の取付けを容易なものとすることができ、施工性が向上する。
【００１５】
【発明の実施の形態】
上記の本発明について、図面等を用いて以下に詳述する。
図１は本発明にかかる台輪の第１実施形態を示す斜視図、図２は本発明にかかる台輪の第２実施形態を示す斜視図、図３は本発明にかかる台輪の第３実施形態を示す斜視図、図４は本発明にかかる台輪の第４実施形態を示す斜視図、図５は本発明にかかる台輪の第５実施形態を示す分解斜視図、図６は本発明にかかる台輪を用いて壁面に取付けた収納家具の一実施例を示す斜視図、図７は図６の要部を示す縦断面図、図８は収納家具の取付構造を説明する図であり、図中の１は収納家具、２は家具本体、３，３’，３”，３’’’，３””は台輪、４は金属製Ｌ字型ステー、５は幕板、６は引出、７は照明器具、１０は扉、１１は地板、１２は背板、１３は桟、３０は切欠部、３１，３１’は段部、３２，３２’，３２”は上板、３３は側板、６０は引出の左右側壁、６１は引出の前側壁、α，βは引出レールを設ける領域、Ａは床面、Ｂは壁面、Ｃは電気配線用空間をそれぞれ示す。
【００１６】
図１は本発明にかかる台輪の第１実施形態を示す斜視図であって、台輪３は矩形状上板３２の対向する両端に矩形状の同一寸法からなる左右側板３３を対向させて上面が面一となるように、かつ、前記上板３２の前記左右側板３３と直交する一方の端部が前記左右側板３３の同じ側の端部よりも前記上板の前記左右側板３３と直交する他方の端部側に位置するように、かつ、前記上板３２の前記左右側板３３と直交する他方の端部が前記左右側板３３の同じ側の端部と面一となるように断面略コの字状に連結したものである。このように構成することにより、後述する家具本体を台輪の上面に安定した状態で容易に載置することができると共に、前記左右側板３３と直交する一方の端部側の左右側板３３間に幕板等を見栄え良く設けることができる。
【００１７】
図２は本発明にかかる台輪の第２実施形態を示す斜視図であって、台輪３’は図１に示した台輪３の前記上板３２を前記左右側板３３と直交する前記一方の端部に一段高い段部３１を備えた台輪３２’に代えたものであって、これ以外は前記台輪３と同じである。このように構成することにより、前記上板３２’の相対的に低い段部３１’と前記左右側板３３とで形成される空間を、たとえば、照明器具に電気を供給する電気配線用スペースとすることができる。
【００１８】
図３は本発明にかかる台輪の第３実施形態を示す斜視図であって、台輪３”は図２に示した台輪３’の前記上板３２’を前記左右側板３３の前記段部３１も設けた端部と対向する他方の端部に複数個のコの字状切欠部３０（図３上、２個の切欠部）を備えた上板３２”に代えたものであって、これ以外は前記台輪３’と同じである。このように構成することにより、後述する金属製Ｌ字型ステーを前記切欠部３０に収納することができるために、台輪を壁面に対して当接した状態で設置することができ、それだけ玄関の空間を大きく採ることができる。なお、図３では、前記切欠部３０を２個設けた構成としたが、金属製Ｌ字型ステーを設ける本数により前記切欠部３０の数は適宜決めればよいものであるし、また、図示はしないが、前記切欠部３０は前記上板３２”の他方の端部を全幅に亘って切り欠いたものであってもよいものである。
【００１９】
図４は本発明にかかる台輪の第４実施形態を示す斜視図であって、台輪３’’’は図３に示した台輪３”の前記上板３２”の前記段部３１を備えた端部側の前記左右側板３３間に幕板５を設けたものであって、これ以外は前記台輪３”と同じである。このように構成することにより、収納家具の扉を開いたときに前記台輪３’’’を見栄えのよいものとすることができる。当然、前記幕板５は前記台輪３、３’に備えてもよいものである。
【００２０】
図５は本発明にかかる台輪の第５実施形態を示す分解斜視図であって、台輪３””は図３に示した台輪３”の前記上板３２”と前記左右側板３３により形成される下方空間に矩形状底壁と該底壁の四周縁に立設された側壁とからなる引出６を設けたものであって、これ以外は前記台輪３”と同じである。具体的に説明すると、前記左右側板３３のそれぞれの内面および前記引出６の左右側壁６０の外面の点線で示した領域α、βに互いに係合する引出レール〔たとえば、ハーフェレー社製：ソフトローラー２０ＲＥＡＳ（商品名）〕を取付けることにより前記上板３２”の前記段部３１の端部と前記切欠部３０の端部とを結ぶ方向に平行な方向に出し入れ自在な引出６を設けたものである。このように構成することにより、台輪３”の下方空間を有効に利用することができる。また、前記引出６の前側壁６１は前記引出６を閉めた状態においては図４に示す幕板５を兼ねる構成とされているために、収納家具の扉を開いたときに前記台輪３””を見栄えのよいものとすることができる。当然、前記引出６は台輪３、３’、３”、３’’’に備えてもよいものである。
【００２１】
図６は本発明にかかる台輪を用いて壁面に取付けた収納家具の一実施例を示す斜視図であって、収納家具１は玄関の床面Ａから浮かせて壁面Ｂに取付けた、たとえば、下駄箱である。このように床面Ａから浮かせて壁面Ｂに取付けたことにより床面Ａの掃除を行いやすくすることができ、また、収納家具１の下部内方に後述する照明器具を取付けることにより足下を間接的に照明することができ、外観上や機能上において優れたものとすることができる。また、必要に応じては収納家具１と床面Ａとの間の空間を有効的に利用することもできる。
【００２２】
図７は図６の要部を示す縦断面図であって、前記収納家具１は家具本体２と台輪３’’’と金属製Ｌ字型ステー４とを備えている。２本の金属製Ｌ字型ステー４を水準器を用いて水平に壁面Ｂにビス（図示せず）等の取付け具で取付け、図８に示すように前記台輪３”を前記台輪３”の前記切欠部３０が前記金属製Ｌ字型ステー４に収納されるように前記金属製Ｌ字型ステー４上に載せると共にビス（図示せず）等の取付け具で前記金属製Ｌ字型ステー４に固定し、前記台輪３”の前記上板３２”の前記段部３１を備えた端部側の前記左右側板３３間に幕板５を設けて台輪３’’’となし、該台輪３’’’の上に前記家具本体２を載せると共に前記家具本体２の地板１１と前記台輪３’’’をビス（図示せず）等の取付け具で固定すると共に前記家具本体２の背板１２に予め複数設けられた桟１３の個所で壁面Ｂにビス（図示せず）等の取付け具で固定した構造からなるものである。このような構造とすることにより、施工性に優れ、据付精度を高めることができると共に前記収納家具１の扉１０を開いたときに見栄えの良い台輪とすることができる。なお、金属製Ｌ字型ステー４の本数は２本に限ることはなく、収納家具１のサイズに合わせて適宜決められるべきものである。また、金属製Ｌ字型ステー４の寸法についても、収納家具１のサイズに合わせて適宜決められるべきものである。
【００２３】
なお、本発明の収納家具の取付構造においては、前記台輪３’’’の前記上板３２”の前記段部３１’と前記左右側板３３とにより形成される空間Ｃに電気配線（図示せず）を敷設すると共に該電気配線（図示せず）は前記段部３１’の前記上板３２”に貫通孔（図示せず）を開けて前記台輪３’’’の前記上板３２”の下面に予め取付けられた照明器具７に接続されるものである。
【００２４】
【発明の効果】
以上縷々説明したように、本発明の台輪は、家具本体を台輪の上面に安定した状態で容易に載置することができる、また、幕板を設けることにより収納家具の扉を開いたときに台輪を見栄えのよいものとすることができる、さらにまた、引出を設けることにより台輪３の下方空間を有効に利用することができる等々の優れた効果を奏するものである。また、本発明の台輪を用いた収納家具の取付構造は、施工性に優れると共に据付精度を高めることができるという優れた効果を奏するものである。
【図面の簡単な説明】
【図１】本発明にかかる台輪の第１実施形態を示す斜視図である。
【図２】本発明にかかる台輪の第２実施形態を示す斜視図である。
【図３】本発明にかかる台輪の第３実施形態を示す斜視図である。
【図４】本発明にかかる台輪の第４実施形態を示す斜視図である。
【図５】本発明にかかる台輪の第５実施形態を示す分解斜視図である。
【図６】本発明にかかる台輪を用いて壁面に取付けた収納家具の一実施例を示す斜視図である。
【図７】図６の要部を示す縦断面図である。
【図８】収納家具の取付構造を説明する図である。
【符号の説明】
１　　　　　　　　　　　　　　　　　収納家具
２　　　　　　　　　　　　　　　　　家具本体
３，３’，３”，３’’’，３””　　台輪
４　　　　　　　　　　　　　　　　　金属製Ｌ字型ステー
５　　　　　　　　　　　　　　　　　幕板
６　　　　　　　　　　　　　　　　　引出
７　　　　　　　　　　　　　　　　　照明器具
１０　　　　　　　　　　　　　　　　扉
１１　　　　　　　　　　　　　　　　地板
１２　　　　　　　　　　　　　　　　背板
１３　　　　　　　　　　　　　　　　桟
３０　　　　　　　　　　　　　　　　切欠部
３１，３１’　　　　　　　　　　　　段部
３２，３２’，３２”　　　　　　　　上板
３３　　　　　　　　　　　　　　　　側板
６０　　　　　　　　　　　　　　　　引出の左右側壁
６１　　　　　　　　　　　　　　　　引出の前側壁
α，β　　　　　　　　　　　　　　　引出レールを設ける領域
Ａ　　　　　　　　　　　　　　　　　床面
Ｂ　　　　　　　　　　　　　　　　　壁面
Ｃ　　　　　　　　　　　　　　　　　電気配線用空間
【図１】
2004105510.tif 000003
【図２】
2004105510.tif 000004
【図３】
2004105510.tif 000005
【図４】
2004105510.tif 000006
【図５】
2004105510.tif 000007
【図６】
2004105510.tif 000008
【図７】
2004105510.tif 000009
【図８】
2004105510.tif 000010